(57)【特許請求の範囲】
【請求項１】
扉面に取り付けられ開扉方向と同方向に操作される操作バーの操作力を、錠ボルトを作動させる駆動力として錠ケースに入力するプッシュプル錠であって、
前記扉面に固定される台座取付板を介して扉に取り付けられる台座と、
該台座に固定され前記扉面に垂直な方向のガイド穴を有するレバー取付板と、
前記扉面と平行な横方向の揺動中心軸を介して該レバー取付板に揺動自在に支持されるスライドレバーと、
前記操作バーに固定されるバーガイドを該スライドレバーの揺動入力端に連結するとともに前記ガイド穴にガイドされるスライド軸と、
前記台座取付板に上下方向にスライド自在に支持され前記スライドレバーの揺動出力端に係合して上下移動されるスライドカムと、
前記台座取付板に回動自在に支持され入力端に上下移動する該スライドカムに摺接して回動するカム板が固設されるとともに出力端が前記錠ケースの回転入力部材に連結される出力軸と、
を具備したことを特徴とするプッシュプル錠。
【請求項２】
前記バーガイド及び前記レバー取付板が金属材料からなり、該バーガイドに外挿され該バーガイドをスライド自在に支持する合成樹脂材料からなるバーガイド受けが前記レバー取付板に固定されたことを特徴とする請求項１記載のプッシュプル錠。
【請求項３】
一方の扉面側に開扉される扉の厚み方向中央部に前記錠ケースが内設され、
独立回動する前記回転入力部材が該錠ケースの前記扉面に平行な両側面のそれぞれに設けられ、
一方の扉面には該扉面に垂直な離反方向に移動操作される第１の前記操作バーが設けられ、
他方の扉面には該扉面に垂直な接近方向に移動操作される第２の前記操作バーが設けられ、
前記第１の操作バーと前記錠ケースの間、及び前記第２の操作バーと前記錠ケースの間のそれぞれには、前記台座取付板、前記台座、前記レバー取付板、前記スライドレバー、前記スライド軸、前記スライドカム及び前記出力軸が配設され、
且つ前記錠ケースを挟んで配置された一対の前記スライドカムが上下逆方向に作動することを特徴とする請求項１又は２記載のプッシュプル錠。
【発明の詳細な説明】
【技術分野】
【０００１】
本発明は、扉面に取り付けられ開扉方向と同方向に操作される操作バーの操作力を、錠ボルトを作動させる駆動力として錠ケースに入力するプッシュプル錠に関し、更に詳しくは、開扉方向と同方向の操作力を回転力に変換して錠ケースに出力する改良技術に関する。
【背景技術】
【０００２】
住宅玄関扉等には、上下方向長尺に形成された操作バーの上下端を、台座を介して可動自在に扉面に取り付けた所謂プッシュプル錠が採用されることがある。このプッシュプル錠は、例えば外開きの玄関扉に取り付けられる場合、室内側に取り付けられる操作バーは、扉を開放する際、台座に対し押し込み方向に僅かに可動することで、扉に内蔵された錠ケースの錠ボルト（例えばラッチボルト）を錠ケース内へ後退させ、扉を開放可能にする。一方、屋外側に取り付けられる操作バーは、扉を開放する際、台座に対し引っ張り方向に僅かに可動することで、扉に内蔵された錠ケースのラッチボルトを錠ケース内へ後退させ、扉を開放可能にする。これにより、扉表裏において、開扉方向と、ラッチボルト後退操作方向を一致させ、扉の良好な開放操作性を実現している。
【０００３】
プッシュプル錠は、ラッチボルトを内蔵する錠ケースと、操作バーを備えて組み立てられた台座とが、それぞれ別途に扉に取付け固定される。従来、操作バーに入力される開扉操作力は、台座の背面に設けられた揺動レバー片にて、例えば左右方向や上下方向の揺動端出力として錠ケースへ入力されていた。したがって、錠ケース側には、揺動レバー片の揺動端と係合する揺動入力部材が設けられ、この揺動入力部材が左右動或いは上下動されることで、これに連動連結されるラッチボルトが錠ケース内へ後退動作可能となった。
【発明の開示】
【発明が解決しようとする課題】
【０００４】
プッシュプル錠は、操作方向が開扉方向と一致することから、良好な開放操作性が得られるとともに、レバーハンドル等の操作部材に比べ、大型であることからデザイン性にも優れる。このため、プッシュプル錠は、近年、需要が益々増大する傾向にある。
しかしながら、従来、操作バーに入力される開扉操作力は、台座の背面に設けられた揺動レバー片にて、上下方向の揺動出力として錠ケースへ入力されていたため、錠ケースも、揺動レバー片の揺動端と係合する揺動入力部材が設けられるタイプであった。したがって、既設のレバーハンドル錠等をプッシュプル錠に交換する場合には、レバーハンドル等の操作部材は元より、使用可能な錠ケースまでも交換しなければならなかった。このため、回転入力部材を有する既設の錠ケースを利用して、組み付けることが可能となるプッシュプル錠の開発要請があった。
【０００５】
本発明は上記状況に鑑みてなされたもので、操作バーの開扉方向と同方向の操作力を回転力に変換できるプッシュプル錠を提供し、もって、回転入力部材を有する既設の錠ケースに対するプッシュプル錠の組み付けを可能とすることを目的とする。
【課題を解決するための手段】
【０００６】
次に、上記の課題を解決するための手段を、実施の形態に対応する図面を参照して説明する。
本発明の請求項１記載のプッシュプル錠は、扉面に取り付けられ開扉方向と同方向に操作される操作バーの操作力を、錠ボルトを作動させる駆動力として錠ケースに入力するプッシュプル錠であって、
前記扉面１１ａ，１１ｂに固定される台座取付板３１を介して扉１１に取り付けられる台座３３と、
該台座３３に固定され前記扉面１１ａ，１１ｂに垂直な方向のガイド穴３５を有するレバー取付板３７と、
前記扉面１１ａ，１１ｂと平行な横方向の揺動中心軸３９を介して該レバー取付板３７に揺動自在に支持されるスライドレバー４１と、
前記操作バー２１，２３に固定されるバーガイド４３を該スライドレバー４１の揺動入力端４５に連結するとともに前記ガイド穴３５にガイドされるスライド軸４７と、
前記台座取付板１１に上下方向にスライド自在に支持され前記スライドレバー４１の揺動出力端４９に係合して上下移動されるスライドカム５１Ａ，５１Ｂと、
前記台座取付板３１に回動自在に支持され入力端５３に上下移動する該スライドカム５１Ａ，５１Ｂに摺接して回動するカム板５５が固設されるとともに出力端５７が前記錠ケース１９の回転入力部材２７に連結される出力軸５９と、
を具備したことを特徴とする。
【０００７】
このプッシュプル錠では、操作バー２１，２３による扉面１１ａ，１１ｂに垂直な方向の操作力である扉の開放方向と同方向となる前後方向の操作力が、スライドレバー４１、スライドカム５１Ａ，５１Ｂにて一旦上下動に変換された後、スライドカム５１Ａ，５１Ｂに摺接するカム板５５にてさらに回転力に変換されて、出力軸５９から出力可能となる。これにより、回転入力部材２７を有する既設の錠ケース１９に対して、開扉方向ａと同方向で操作されるプッシュプル錠１００の出力軸５９が組み付け可能となる。
【０００８】
請求項２記載のプッシュプル錠は、前記バーガイド４３及び前記レバー取付板３７が金属材料からなり、該バーガイド４３に外挿され該バーガイド４３をスライド自在に支持する合成樹脂材料からなるバーガイド受け６１が前記レバー取付板３７に固定されたことを特徴とする。
【０００９】
このプッシュプル錠では、扉面１１ａ，１１ｂに垂直な方向でスライドされるバーガイド４３が、バーガイド受け６１を介してレバー取付板３７に支持される。これにより、金属材料同士のバーガイド４３とレバー取付板３７が摺接する構成に比べ、衝撃が吸収され、低摩擦でスムースなバーガイド４３のスライドが可能となる。
【００１０】
請求項３記載のプッシュプル錠は、一方の扉面１１ａ側に開扉される扉１１の厚み方向中央部に前記錠ケース１９が内設され、
独立回動する前記回転入力部材２７，２７が該錠ケース１９の前記扉面１１ａ，１１ｂに平行な両側面６３ａ，６３ｂのそれぞれに設けられ、
一方の扉面１１ａには該扉面１１ａに垂直な離反方向Ｌに移動操作される第１の前記操作バー２１が設けられ、
他方の扉面１１ｂには該扉面１１ｂに垂直な接近方向Ｎに移動操作される第２の前記操作バー２３が設けられ、
前記第１の操作バー２１と前記錠ケース１９の間、及び前記第２の操作バー２３と前記錠ケース１９の間のそれぞれには、前記台座取付板３１、前記台座３３、前記レバー取付板３７、前記スライドレバー４１、前記スライド軸４７、前記スライドカム５１Ａ（又は５１Ｂ）及び前記出力軸５９が配設され、
且つ前記錠ケース１９を挟んで配置された一対の前記スライドカム５１Ａ，５１Ｂが上下逆方向に作動することを特徴とする。
【００１１】
このプッシュプル錠では、扉両面１１ａ，１１ｂに設けられ開扉方向ａと同方向に操作（開扉側では引っ張り操作、その反対側では押し操作）されるそれぞれの操作バー２１，２３からの操作力が、表裏のスライドカム５１Ａ，５１Ｂの上下逆移動により、表裏の出力軸５９へ逆回転で伝達される。つまり、それぞれの扉面１１ａ，１１ｂ側から見た場合、一方の扉面１１ａ側の回転入力部材２７が時計回りに回転され、他方の扉面１１ｂ側の回転入力部材２７が反時計回りに回転される。すなわち、錠ケース両側に表出する回転入力部材２７が同一軸線回りの同一方向に回転される。これにより、回転入力部材２７以下の錠ボルト２５を進退作動させるための錠ケース内進退機構が単一機構で構成可能となる。
【発明の効果】
【００１２】
本発明に係る請求項１記載のプッシュプル錠によれば、スライドレバーを揺動自在に支持し、操作バーとスライドレバーを連結するスライド軸を、扉面に垂直な方向のガイド穴にガイドさせ、上下移動されるスライドカムにスライドレバーの揺動出力端を係合し、スライドカムに摺接するカム板を出力軸に設けたので、操作バーによる扉面に垂直な方向の操作力を、スライドレバー、スライドカムにて一旦上下動に変換した後、さらにカム板にて回転力に変換することができる。したがって、回転入力部材、例えばノブやレバーハンドルを具備した扉に対して、これら回転入力部材を設けられる既設の錠ケースに、プッシュプル錠の出力軸を組み付けることが可能となる。この結果、既設の錠ケースを流用して、扉としての意匠性を向上し、さらには開閉操作性に優れたプッシュプル錠を安価に取り付けできる。
【００１３】
請求項２記載のプッシュプル錠によれば、バーガイド及びレバー取付板が金属材料からなり、バーガイドをスライド自在に支持する合成樹脂材料からなるバーガイド受けをレバー取付板に固定したので、バーガイドがバーガイド受けを介してレバー取付板に支持され、金属材料同士のバーガイドとレバー取付板が摺接する構成に比べ、衝撃を吸収し、低摩擦でスムースなバーガイドのスライド、すなわち、操作バーの操作を可能にすることができる。これにより、出力軸への回転をスムースに変換可能として開閉操作性の向上が得られる。
【００１４】
請求項３記載のプッシュプル錠によれば、開扉側の扉面には離反方向に移動操作される第１の操作バーが設けられ、その反対面には接近方向に移動操作される第２の操作バーが設けられ、錠ケースを挟んで配置された一対のスライドカムが上下逆方向に作動するので、扉両面に設けられ開扉方向と同方向に操作されるそれぞれの操作バーからの操作力で、錠ケースの回転入力部材を同一方向に回転させることができる。つまり、扉表裏で異なる方向の操作力を錠ケース内へは同一方向の回転力として錠ケースに入力することができる。
【発明を実施するための最良の形態】
【００１５】
以下、本発明に係るプッシュプル錠の好適な実施の形態を図面を参照して詳細に説明する。
図１は本発明に係るプッシュプル錠を備えた扉の斜視図である。
プッシュプル錠１００の設けられる扉１１は、矢印ａ方向へ開扉可能に不図示のヒンジにて支持される。本実施の形態の扉１１は、枠体１３にガラス１５を嵌めたガラス扉として構成される。プッシュプル錠１００は、枠体１３の開閉端側の縦框１７に取り付けられる。したがって、扉１１が外開きの玄関扉の場合には、開扉側が表面（屋外面）１１ａ、その反対側が裏面（室内面）１１ｂとなる。
【００１６】
一方の扉面（表面１１ａ）側に開扉される扉１１の厚み方向中央部には錠ケース１９が内設される。表面１１ａには、この表面１１ａに垂直な離反方向Ｌ（図４参照）に移動操作される第１の操作バー（屋外操作バー）２１が設けられる。また、他方の扉面（裏面１１ｂ）には、この裏面１１ｂに垂直な接近方向Ｎ（図４参照）に移動操作される第２の操作バー（室内操作バー）２３が設けられる。プッシュプル錠１００は、開扉方向ａと同方向に操作される屋外操作バー２１、室内操作バー２３の操作力を、錠ボルト２５を作動させる回転駆動力として錠ケース１９に入力するため、以下の構成を備える。
【００１７】
図２は図１に示したプッシュプル錠の錠ケース側に設けられる構成部材の分解斜視図、図３は図１に示したプッシュプル錠の操作バー側に設けられる構成部材の分解斜視図、図４は図１に示したプッシュプル錠の縦断面図である。
なお、後述するように、プッシュプル錠１００は、扉１１の表裏１１ａ，１１ｂに、一部の部品（スライドカム５１Ａ，５１Ｂ）を除き同一複数部材を用いて略対称に構成される。したがって、以下の説明では、屋外操作バー２１側（プル側）の構成を例に説明する。
図２，図３，図４において、２５は錠ボルト、２７は回転入力部材、３１は台座取付板、３３は台座、３５はガイド穴、３７はレバー取付板、３９は揺動中心軸、４１はスライドレバー、４３はバーガイド、４５は揺動入力端、４７はスライド軸、４９は揺動出力端、５１Ａ，５１Ｂはスライドカム、５３は入力端、５５はカム板、５７は出力端、５９は出力軸、６１はバーガイド受け、６３ａ，６３ｂは両側面、Ｌは扉面に垂直な離反方向、Ｎは扉面に垂直な接近方向である。
【００１８】
また、６５はスタッドナット、６７は取付プレート、６９は台座取付板固定ネジ、７１はダルマ押さえ板、７３は台座固定ネジ、７５はダルマ押さえ板固定ネジ、７７はガイドピン、７９はＥリング、８１は摺接軸、８３はレバー取付板固定ネジ、８５はバーガイド固定ネジ、８９はバーガイド受け固定ネジ、９１は復帰バネである。
【００１９】
錠ケース１９は、扉１１の木口９３に形成された収容穴９５に挿入され、フロント裏板９７が不図示のネジにて木口９３に固定される。錠ケース１９は、独立回動する回転入力部材２７が、錠ケースの両側面６３ａ，６３ｂにそれぞれ配設されている。また、フロント裏板９７にはリリーサー９９が表出され、リリーサー９９はフロント裏板９７の表面に取り付けられるフロント板１０１にて覆われる。リリーサー９９は、例えば相手部材（相手側ガラス扉又は開口枠等）に設けられたマグネット、或いは電磁石からの斥力を受けることで作動し、錠ボルト２５の突出規制を解除する。ガラス扉に設けられる錠装置は、衝接時の反力を発生させないため、相手部材との衝接による反力を利用しない錠ボルト（角ボルト）２５として形成されている。錠ボルト２５は、閉扉状態でのみ突出し、開扉状態では突出が規制されて後退保持（収納）されている。リリーサー９９は、閉扉時におけるこの突出規制を解除する。なお、本発明に係るプッシュプル錠１００は、通常の衝接傾斜面を有するラッチボルト機構においても適用できるものである。
【００２０】
図５は台座取付板の斜視図、図６は台座の斜視図、図７はレバー取付板の斜視図である。
錠ケース１９の両側面６３ａ，６３ｂには、スタッドナット６５を嵌入固定した取付プレート６７が取り付けられる。台座取付板３１は、取付穴１０３に挿通した台座取付板固定ネジ６９をスタッドナット６５に螺着して取り付けられる。台座取付板３１の側面にはネジ穴１０５，１０５が形成され、ネジ穴１０５，１０５は台座３３の透孔１０７，１０７（図６参照）に挿通される台座固定ネジ７３と螺合する。つまり、台座３３は、台座取付板３１を介して扉１１に取り付けられる。台座取付板３１の側面には透孔１０９，１０９が穿設され、透孔１０９，１０９はダルマ押さえ板７１のネジ穴１１１，１１１（図１２参照）に螺合するダルマ押さえ板固定ネジ７５を挿通する。台座取付板３１の側面６３ａと平行な板部には出力軸５９を挿通支持する軸穴１１３と、スライドカム５１Ａの突片１１５（図１１参照）をガイドするガイド溝１１７とが形成されている。
【００２１】
台座３３には固定部１１９が形成され、固定部１１９はレバー取付板３７の透孔１２１（図７参照）に挿通されたレバー取付板固定ネジ８３と螺合するネジ穴１２３を有する。
【００２２】
レバー取付板３７は、側面に、表面１１ａに垂直な方向のガイド穴３５を有する。また、レバー取付板３７の側面には軸受穴１２５が穿設され、軸受穴１２５は揺動中心軸３９を支持する。図７中、１２７はバーガイド４３の挿通開口、１２９はバーガイド受け固定ネジ８９の螺合するネジ穴、１３１は復帰バネ９１の一端が係止する係止溝を示す。
【００２３】
図８は揺動中心軸、スライドレバー、スライド軸及び復帰バネの斜視図である。
スライドレバー４１は、表面１１ａと平行な横方向の揺動中心軸３９を介して、レバー取付板３７に揺動自在に支持される。スライド軸４７は、屋外操作バー２１に固定されるバーガイド４３をスライドレバー４１の揺動入力端４５に連結するとともに、レバー取付板３７のガイド穴３５にガイドされる。スライドレバー４１は、揺動中心軸３９に中央部が外挿され、一端が係止溝１３１に係止されるとともに、他端がスライド軸４７に固定される復帰バネ９１にて、揺動出力端４９が上方向へ付勢される。
【００２４】
図９はバーガイドの斜視図である。
バーガイド４３は、略Ｌ字形状に形成され、起立部１３３に、バーガイド固定ネジ８５の挿通される透孔１３５，１３５が穿設される。水平部１３７にはスライド軸４７の挿入される軸受け穴１３９が穿設される。バーガイド４３は、この水平部１３７がレバー取付板３７の挿通開口１２７に挿通される。
【００２５】
図１０はバーガイド受けの斜視図である。
バーガイド４３及びレバー取付板３７は金属材料からなる。レバー取付板３７には合成樹脂材料からなるバーガイド受け６１が固定される。バーガイド受け６１は、バーガイド４３に外挿され、バーガイド４３をスライド自在に支持する。これにより、金属材料同士のバーガイド４３とレバー取付板３７が摺接する構成に比べ、衝撃が吸収され、低摩擦でスムースなバーガイド４３のスライドが可能となる。すなわち、屋外操作バー２１のスムースな操作を可能にすることができる。図１０中、１４１はスライド軸４７の挿通穴、１４３はスライドレバー４１の可動溝、１４５は復帰バネ９１の挿入部、１４７はバーガイド受け固定ネジ８９の挿通穴を示す。
【００２６】
図１１はスライドカムの斜視図である。
スライドカム５１Ａは、中央部にスライドレバー４１の揺動出力端４９が挿入される係合開口１４９を有する。係合開口１４９は、下縁１４９ａが揺動出力端４９によって押下される。スライドカム５１Ａは、係合開口１４９の両側に形成された上下方向の長穴１５１に、台座取付板３１から突出するガイドピン７７を係合して上下方向にスライド自在に支持される。図１１中、１５３はダルマ押さえ板７１と係合する溝、１６５は摺接軸８１の摺接面を示す。
【００２７】
図１２はダルマ押さえ板の斜視図である。
ダルマ押さえ板７１は、出力軸５９の入力端５３に当接する座部１５５を有する。座部１５５の両側にはスライドカム５１Ａの溝１５３，１５３に係合するガイド片１５７，１５７が形成される。
【００２８】
図１３は出力軸の斜視図、図１４はカム板の斜視図である。
出力軸５９は、台座取付板３１に回動自在に支持され、入力端５３に、上下移動するスライドカム５１Ａに摺接するカム板５５が固設される。また、出力軸５９の出力端５７は角軸に形成され、錠ケース１９に設けられる回転入力部材２７の角穴に挿入することで相対回転不能に連結される。なお、カム板５５は、角穴１５９が出力軸５９の角軸部１６１に挿入され、加締部１６３にて固定される。
【００２９】
プッシュプル錠１００は、屋外操作バー２１と錠ケース１９の間、及び室内操作バー２３と錠ケース１９の間のそれぞれに、上記した台座取付板３１、台座３３、レバー取付板３７、スライドレバー４１、スライド軸４７、スライドカム５１Ａ（又はスライドカム５１Ｂ）、及び出力軸５９が配設される。そして、錠ケース１９を挟んで配置された一対のスライドカム５１Ａ，５１Ｂが上下逆方向に作動する。
【００３０】
次に、上記構成を有するプッシュプル錠１００の作用を説明する。
図１５はプル側の操作前を（ａ）、操作後を（ｂ）で表した扉面に垂直な面の断面図、図１６はプル側の操作前を（ａ）、操作後を（ｂ）で表した図４のＡ−Ａ断面図である。
屋外操作バー２１の非操作時、スライドレバー４１が復帰バネ９１の付勢力にて図１５の時計回りに付勢され、揺動出力端４９がスライドカム５１Ａを上方へ押し上げている。出力軸５９は、回転入力部材２７との嵌合姿勢により回転規制され、図１６（ａ）に示すように、カム板５５の摺接軸８１がスライドカム５１Ａの摺接下縁１６５に摺接している。
【００３１】
図１５（ｂ）に示すように、屋外操作バー２１が扉面に垂直な離反方向Ｌに引かれると、バーガイド４３を介してスライド軸４７が同方向へ移動し、スライドレバー４１が反時計回りに回転される。スライドレバー４１が反時計回りに回転すると、揺動出力端４９がスライドカム５１Ａの係合開口下縁１４９ａを押下する。スライドレバー４１の押下によりスライドカム５１Ａが下方向へスライドされると、図１６（ｂ）に示すように、スライドカム５１Ａの摺接下縁１６５にて摺接軸８１が押し下げられ、カム板５５を介して出力軸５９が同図の時計回りに回転される。屋外操作バー２１からは、この時計回りの回転出力が回転入力部材２７に入力されることとなる。
【００３２】
このように、プッシュプル錠１００では、屋外操作バー２１、室内操作バー２３による扉面に垂直な方向の操作力が、スライドレバー４１、スライドカム５１Ａ，５１Ｂにて一旦上下動に変換された後、スライドカム５１Ａ，５１Ｂに摺接するカム板５５にてさらに回転力に変換されて、出力軸５９から出力可能となる。これにより、回転入力部材２７を有する既設の錠ケース１９に対して、開扉方向と同方向で操作されるプッシュプル錠１００の出力軸５９が組み付け可能となる。
【００３３】
また、扉両面に設けられ開扉方向と同方向に操作（開扉側では引っ張り操作、その反対側では押し操作）されるそれぞれの屋外操作バー２１、室内操作バー２３からの操作力が、表裏のスライドカム５１Ａ，５１Ｂの上下逆移動により、表裏の出力軸５９，５９へ逆回転で伝達される。つまり、それぞれの扉面１１ａ，１１ｂ側から見た場合、一方の扉面（表面１１ａ）側の回転入力部材２７が時計回りに回転され、他方の扉面（裏面１１ｂ）側の回転入力部材２７が反時計回りに回転される。すなわち、錠ケース両側に表出する回転入力部材２７，２７が同一軸線回りの同一方向に回転される。これにより、回転入力部材２７以下の錠ボルト２５を進退作動させるための錠ケース内進退機構（不図示）が単一機構で構成可能となっている。
【００３４】
したがって、上記構成のプッシュプル錠１００によれば、スライドレバー４１を揺動自在に支持し、屋外操作バー２１、室内操作バー２３とスライドレバー４１を連結するスライド軸４７を、扉面に垂直な方向のガイド穴３５にガイドさせ、上下移動されるスライドカム５１Ａ，５１Ｂにスライドレバー４１の揺動出力端４９を係合し、スライドカム５１Ａ，５１Ｂに摺接するカム板５５を出力軸５９に設けたので、屋外操作バー２１、室内操作バー２３による扉面に垂直な方向の操作力を、スライドレバー４１、スライドカム５１Ａ，５１Ｂにて一旦上下動に変換した後、さらにカム板５５にて回転力に変換することができる。これにより、回転入力部材２７を有する既設の錠ケース１９に、プッシュプル錠１００の出力軸５９を組み付けることが可能となる。この結果、既設の錠ケース１９を流用して、意匠性、操作性に優れたプッシュプル錠１００を安価に取り付けできるようになる。
【００３５】
そして、本実施の形態によるプッシュプル錠１００によれば、開扉側の扉面には離反方向Ｌに移動操作される屋外操作バー２１が設けられ、その反対面には接近方向Ｎに移動操作される室内操作バー２３が設けられ、錠ケース１９を挟んで配置された一対のスライドカム５１Ａ，５１Ｂが上下逆方向に作動するので、扉両面に設けられ開扉方向と同方向に操作されるそれぞれの屋外操作バー２１、室内操作バー２３からの操作力で、錠ケース１９両側の回転入力部材２７，２７を同一方向に回転させることができる。つまり、扉表裏で異なる方向の押し引き操作力を同一方向の回転力として錠ケース１９に入力することができる。
【図面の簡単な説明】
【００３６】
【図１】本発明に係るプッシュプル錠を備えた扉の斜視図である。
【図２】図１に示したプッシュプル錠の錠ケース側構成部材の分解斜視図である。
【図３】図１に示したプッシュプル錠の操作バー側構成部材の分解斜視図である。
【図４】図１に示したプッシュプル錠の縦断面図である。
【図５】台座取付板の斜視図である。
【図６】台座の斜視図である。
【図７】レバー取付板の斜視図である。
【図８】揺動中心軸、スライドレバー、スライド軸及び復帰バネの斜視図である。
【図９】バーガイドの斜視図である。
【図１０】バーガイド受けの斜視図である。
【図１１】スライドカムの斜視図である。
【図１２】ダルマ押さえ板の斜視図である。
【図１３】出力軸の斜視図である。
【図１４】カム板の斜視図である。
【図１５】プル側の操作前を（ａ）、操作後を（ｂ）で表した扉面に垂直な面の断面図である。
【図１６】プル側の操作前を（ａ）、操作後を（ｂ）で表した図４のＡ−Ａ断面図である。
【符号の説明】
【００３７】
１１…扉
１１ａ…一方の扉面（表面）
１１ｂ…他方の扉面（裏面）
１９…錠ケース
２１…第１の操作バー（屋外操作バー）
２３…第２の操作バー（室内操作バー）
２５…錠ボルト
２７…回転入力部材
３１…台座取付板
３３…台座
３５…ガイド穴
３７…レバー取付板
３９…揺動中心軸
４１…スライドレバー
４３…バーガイド
４５…揺動入力端
４７…スライド軸
４９…揺動出力端
５１Ａ，５１Ｂ…スライドカム
５３…入力端
５５…カム板
５７…出力端
５９…出力軸
６１…バーガイド受け
６３ａ，６３ｂ…両側面
１００…プッシュプル錠
ａ…開扉方向
Ｌ…扉面に垂直な離反方向
Ｎ…扉面に垂直な接近方向
【図１】
0005107743.tif 000002
【図２】
0005107743.tif 000003
【図３】
0005107743.tif 000004
【図４】
0005107743.tif 000005
【図５】
0005107743.tif 000006
【図６】
0005107743.tif 000007
【図７】
0005107743.tif 000008
【図８】
0005107743.tif 000009
【図９】
0005107743.tif 000010
【図１０】
0005107743.tif 000011
【図１１】
0005107743.tif 000012
【図１２】
0005107743.tif 000013
【図１３】
0005107743.tif 000014
【図１４】
0005107743.tif 000015
【図１５】
0005107743.tif 000016
【図１６】
0005107743.tif 000017